(57)【要約】【課題】メッセージ送信方法及び汎用無線パケットサービス支援ノードを提供する。【解決手段】該方法は、ユーザ機器が接続されている汎用無線パケットサービス支援ノードＳＧＳＮが第１ＳＧＳＮから第２ＳＧＳＮにハンドオーバーする場合、第１ＳＧＳＮが第２ＳＧＳＮに、ユーザ機器が接続されているパケットデータネットワークのゲートウェイの形態を含むユーザ機器のコンテキスト情報を含んだメッセージを送信するステップを含む。本発明によると、新規のＳＧＳＮがパケットデータネットワークＰＤＮのゲートウェイの形態を取得でき、ゲートウェイの形態に基づいて利用しようとするインターフェースの形態を正確に選択できる効果を実現できる。【選択図】図４
2013500642.tif 000002
【特許請求の範囲】
【請求項１】
ユーザ機器が接続されている汎用無線パケットサービス支援ノードＳＧＳＮが第１ＳＧＳＮから第２ＳＧＳＮにハンドオーバーする場合、前記第１ＳＧＳＮが前記第２ＳＧＳＮに、前記ユーザ機器が接続されているパケットデータネットワークのゲートウェイの形態を含む前記ユーザ機器のコンテキスト情報を含んだメッセージを送信するステップを含むことを特徴とするメッセージ送信方法。
【請求項２】
前記第１ＳＧＳＮが前記第２ＳＧＳＮに前記メッセージを送信した後、
前記第２ＳＧＳＮが前記メッセージを受信して前記メッセージから前記ユーザ機器が接続されているパケットデータネットワークのゲートウェイの形態を取得し、前記ゲートウェイの形態に基づいて、前記第２ＳＧＳＮが前記パケットデータネットワークのゲートウェイに接続する際に用いるインターフェースの形態を確定するステップを更に含むことを特徴とする請求項１に記載のメッセージ送信方法。
【請求項３】
前記第２ＳＧＳＮが前記メッセージから前記ユーザ機器が接続されているパケットデータネットワークの前記ゲートウェイの形態を確定するステップが、
前記第２ＳＧＳＮが前記メッセージに含まれたゲートウェイのフリー・クオリファイド・ドメイン・ネームから前記ゲートウェイの形態を取得するステップを含み、その中、前記メッセージに組合せゲートウェイのフリー・クオリファイド・ドメイン・ネームが含まれていると、前記ゲートウェイの形態がパケットデータネットワークのゲートウェイＰＧＷであることを取得し、前記メッセージに組合せゲートウェイのフリー・クオリファイド・ドメイン・ネームが含まれていないと、前記ゲートウェイの形態が汎用無線パケットサービスゲートウェイ支援ノードＧＧＳＮであることを取得することを特徴とする請求項２に記載のメッセージ送信方法。
【請求項４】
前記第２ＳＧＳＮが前記ゲートウェイの形態に基づいて、前記第２ＳＧＳＮが選択したインターフェースの形態を確定するステップが、
前記ゲートウェイの形態がＰＧＷである場合、Ｓ４形態のインターフェースを介して前記パケットデータネットワークのゲートウェイに接続されると確定し、
前記ゲートウェイの形態がＧＧＳＮである場合、Ｇｎ/Ｇｐ形態のインターフェースを介して前記パケットデータネットワークのゲートウェイに接続されると確定するステップを含むことを特徴とする請求項３に記載のメッセージ送信方法。
【請求項５】
前記第１ＳＧＳＮが前記第２ＳＧＳＮにメッセージを送信する前、
前記第１ＳＧＳＮが前記ゲートウェイの形態を確定し、前記ゲートウェイの形態を前記ユーザ機器のコンテキスト情報に保存するステップを更に含むことを特徴とする請求項１に記載のメッセージ送信方法。
【請求項６】
前記第１ＳＧＳＮが前記ゲートウェイの形態を確定するステップが、
前記第１ＳＧＳＮがローカルに予め配置された情報に基づいて、前記ゲートウェイの形態を確定し、
前記第１ＳＧＳＮが前記ユーザ機器により提供された情報及び/又は契約情報に基づいて、前記ゲートウェイの形態を確定するステップを含むことを特徴とする請求項５に記載のメッセージ送信方法。
【請求項７】
ユーザ機器が汎用無線パケットサービス支援ノードＳＧＳＮのハンドオーバーを開始する場合、ターゲットＳＧＳＮに、前記ユーザ機器が接続されているパケットデータネットワークのゲートウェイの形態を含む前記ユーザ機器のコンテキスト情報を含んだメッセージを送信する送信ブロックを含むことを特徴とする無線パケットサービス支援ノード。
【請求項８】
前記ゲートウェイの形態を確定する第１確定ブロックと、
前記ゲートウェイの形態を前記ユーザ機器のコンテキスト情報に保存する保存ブロックと、を更に含むことを特徴とする請求項７に記載のＳＧＳＮ。
【請求項９】
前記第１確定ブロックが、
ローカルに予め配置された情報に基づいて、前記ゲートウェイの形態を確定する第１確定サブブロックと、
前記ユーザ機器により提供された情報及び/又は契約情報に基づいて、前記ゲートウェイの形態を確定する第２確定サブブロックと、を含むことを特徴とする請求項８に記載のＳＧＳＮ。
【請求項１０】
前記ユーザ機器がＳＧＳＮハンドオーバーを開始する場合、ソースＳＧＳＮから送信され、前記ユーザ機器が接続されているパケットデータネットワークのゲートウェイの形態を含んだメッセージを受信する受信ブロックと、
前記メッセージから前記ゲートウェイの形態を取得する取得ブロックと、
前記ゲートウェイの形態に基づいて、ＳＧＳＮが前記パケットデータネットワークのゲートウェイに接続される際に用いるインターフェースの形態を確定する第２確定ブロックと、を更に含むことを特徴とする請求項７乃至９のいずれかに記載のＳＧＳＮ。
【請求項１１】
前記取得ブロックが、
前記メッセージに組合せゲートウェイのフリー・クオリファイド・ドメイン・ネームが含まれていると、前記ゲートウェイの形態がＰＧＷであることを取得する第１取得サブブロックと、
前記メッセージに組合せゲートウェイのフリー・クオリファイド・ドメイン・ネームが含まれていないと、前記ゲートウェイの形態がＧＧＳＮであることを取得する第２取得サブブロックと、を含むことを特徴とする請求項１０に記載のＳＧＳＮ。
【請求項１２】
前記第２確定ブロックが、
前記ゲートウェイの形態がＰＧＷである場合、Ｓ４形態のインターフェースを介してパケットデータネットワークのゲートウェイに接続する第１接続サブブロックと、
前記ゲートウェイの形態がＧＧＳＮである場合、Ｇｎ/Ｇｐ形態のインターフェースを介してパケットデータネットワークのゲートウェイに接続する第２接続サブブロックと、を含むことを特徴とする請求項１１に記載のＳＧＳＮ。
【請求項１３】
前記メッセージに組合せゲートウェイのフリー・クオリファイド・ドメイン・ネームが含まれていると、前記ゲートウェイの形態はＰＧＷであり、
前記メッセージに組合せゲートウェイのフリー・クオリファイド・ドメイン・ネームが含まれていないと、前記ゲートウェイの形態がＧＧＳＮである、ことを特徴とする請求項７に記載のＳＧＳＮ。
【請求項１４】
前記メッセージに組合せゲートウェイのフリー・クオリファイド・ドメイン・ネームが含まれていると、前記ゲートウェイの形態がパケットデータネットワークのゲートウェイＰＧＷであることを取得し、前記メッセージに組合せゲートウェイのフリー・クオリファイド・ドメイン・ネームが含まれていないと、前記ゲートウェイの形態が汎用無線パケットサービスゲートウェイ支援ノードＧＧＳＮであることを取得することを特徴とする請求項１に記載のメッセージ送信方法。
【発明の詳細な説明】
【技術分野】
【０００１】
本発明は、通信分野に関し、具体的には、メッセージ送信方法及び汎用無線パケットサービス支援ノードに関する。
【背景技術】
【０００２】
現在、第３世代パートナーシップ・プロジェクト（3rd Generation Partnership Project、以下、３ＧＰＰと略称）の標準化団体は、パケット交換コアネットワーク（Packet Switched Core、以下、ＰＳ  Ｃｏｒｅと略称）とグローバル移動通信システム無線アクセスネットワーク（Universal Mobile Telecommunication System Radio Access Network、以下、ＵＴＲＡＮと略称）の進化に対する研究を行っていて、進化したＰＳ  Ｃｏｒｅ（以下ＥＰＣと略称）に、高い伝送速度と短い伝送遅延を実現させ、進化されたＵＴＲＡＮ（Evolved UTRAN、以下、Ｅ−ＵＴＲＡＮと略称）と、ＧＳＭ/ＥＤＧＥ無線アクセスネットワーク（Global System for Mobile communications Enhanced Data Rate for GSM Evolution radio access network、以下、ＧＥＲＡＮ）と、ＵＴＲＡＮと、無線ＬＡＮネットワーク（Wireless Local Area Network、以下、ＷＬＡＮと略称）及びその他の非３ＧＰＰのアクセスネットワークの間の移動性管理の支援を実現させることをその目的としている。上記進化した移動通信システムは、進化したパケットシステム（Evolved Packet System、以下、ＥＰＳと略称）と呼ばれる。図１は、関連技術に係るネットワーク構造を示す図である。以下、図１における各実体を詳しく説明する。
【０００３】
移動体（Mobile Station、以下、ＭＳと略称、移動端末とも言う）/ユーザ機器（UserEquipment、以下、ＵＥと略称）１０１が二形態の無線ネットワークにアクセス可能な機能を具備している端末であると、デュアルモード端末と呼ばれる。以下の説明において、ＵＥはＵＭＴＳ/ＧＳＭとＥＰＳのネットワークにアクセス可能であるデュアルモード端末であって、ＭＳ/ＵＥをＵＥで代表する。
【０００４】
ＧＥＲＡＮ/ＵＴＲＡＮ１０２は、伝統的なＧＳＭ/ＵＭＴＳネットワークの無線アクセスネットワークである。
【０００５】
汎用無線パケットサービス（General Packet Radio Service、以下、ＧＰＲＳと略称）のサービス支援ノード（Serving GPRS Support Node、以下、ＳＧＳＮと略称）１０３は、ＧＰＲＳネットワークの制御ネットワーク要素であり、その役割は、ＵＥの位置情報を記録し、ＵＥとＧＰＲＳゲートウェイ支援ノード（Gateway GPRS Supporting Node、以下、ＧＧＳＮと略称）との間において移動パケットデータの送信及び受信を実現することである。
【０００６】
サービスゲートウェイ（Serving Gateway、以下、Ｓ−ＧＷと略称）１０４は、ユーザプレーン実体であり、ユーザプレーンデータのルーティング処理を行う。
【０００７】
パケットデータネットワークゲートウェイ（Packet Data Network Gateway、以下、ＰＤＮ  ＧＷ又はＰ−ＧＷと略称）１０５は、ＵＥがパケットデータネットワーク（Packet Data Network、以下、ＰＤＮと略称）にアクセスする際のゲートウェイ機能を実現する。
【０００８】
Ｐ−ＧＷとＳ−ＧＷを一つの物理的実体に設けることもできれば、図１に示すように、異なる物理的実体に設けることもできる。
【０００９】
ＧＰＲＳ（General Packet Radio Service：汎用無線パケットサービス）ゲートウェイ支援ノード（Gateway GPRS Support Node、以下、ＧＧＳＮと略称）１０６は、ＧＰＲＳネットワークの末端部のルーティングを支援する機能を具備し、即ち、ＧＧＳＮは、ＧＰＲＳネットワークのデータをルーティングしてフォワーディングし、ファイアウォール及びフィルタ機能を介してＧＰＲＳネットワークデータの完全性を保護する。ＧＧＳＮは課金機能も具備している。
【００１０】
ＰＧＷは、ＧＧＳＮの全ての機能を具備する。即ち、ＧＧＳＮがＰＧＷのサブ機能としてＰＧＷにエンべデッドされていると認めることができる。従って、ＳＧＳＮは、Ｇｎ/Ｇｐインターフェースを用いてＰＧＷと直接接続されることができる。
【００１１】
ホーム加入者サーバ（Home Subscriber Server、以下、ＨＳＳと略称）/ホームロケーションレジスタ（Home Location Register、以下、ＨＬＲと略称）１０７は、移転（transferring）/セッションを支援する主なユーザデータベースである。
【００１２】
インターネットプロトコル（Internet Protocol、以下、ＩＰと略称）マルチメディアサブシステム（IP Multimedia Core Network Subsystem、以下、ＩＭＳと略称）は、３ＧＰＰにより提出されたＩＰに基づくネットワーク構造であり、開放且つ柔軟なサービス環境を構築し、マルチメディア応用を支援し、ユーザに様々なマルチメディアサービスを提供している。IＭＳは、ＩＰに基づく通信ネットワーク構造であり、アクセス技術に関連せず、ＥＰＳ、汎用パケット無線サービス（General Packet Radio Service、以下、ＧＰＲＳと略称）、無線ＬＡＮ（Wireless Local Area Network、以下、ＷＬＡＮと略称）などのパケットアクセスネットワークにサービスを提供すると共に、ＧＳＭ、汎用移動通信システム（Universal Mobile Telecommunications System、以下、ＵＭＴＳと略称）などの移動セルラーネットワークにもサービスを提供する。
【００１３】
ＵＥがネットワークに接続した後、アクセスポイント名（Access Point Name、以下、ＡＰＮと略称）を確立し、ＳＧＳＮは、ＵＥにより提供された能力情報及びローカルに配置された情報に基づいて、ＧＧＳＮのＰＤＮ接続に構築するか又はＰＧＷのＰＤＮ接続に構築するかを判断する。該ＰＤＮ接続が構築された後、ＧＧＳＮ又はＰＧＷは、該ＰＤＮ接続として外部ＰＤＮネットワークのアンカーに接続される。即ち、該ＰＤＮ接続がリリースされない限り、該ＰＤＮ接続のＧＧＳＮ又はＰＧＷは、変更されない。
【００１４】
ＵＥ位置が変更されてルーティング領域が変更されると、ＵＥは、ルーティング領域位置の更新を開始する。図２は、関連技術に係るＵＥがルーティング更新を行うフローチャートであり、図２に示すように、次のようなステップを含む。
【００１５】
ＵＥがルーティング領域更新要請を開始し（ステップ２０１）、該要請は、ＢＳＣ/ＳＲＮＳを介して新規のＳＧＳＮに送信され、該要請は有効の一時的な移動ユーザ識別子（Temporary Mobile Subscriber Identity、以下、Ｐ−ＴＭＳＩと略称）及びルーティング領域更新の形態を含む（carrying）。
【００１６】
新規のＳＧＳＮは、Ｐ−ＴＭＳＩに基づいて元のＳＧＳＮからＵＥのコンテキスト情報を取得する（ステップ２０２〜２０３）。
【００１７】
安全性を保証するため、検証及び暗号化を行う（ステップ２０４）。該ステップは、選択的に行うことができる。ネットワークにＵＥのコンテキスト情報が存在しない場合には、該ステップを行わなければならない。
【００１８】
新規のＳＧＳＮは、ＵＥのコンテキストを受信した後、元のＳＧＳＮにコンテキスト要請応答メッセージを返信する（ステップ２０５）。
【００１９】
新規のＳＧＳＮは、ＧＧＳＮにＰＤＰ更新要請を送信し、該要請は新規のＳＧＳＮのＴＥＩＤ及びＩＰアドレスを運び、ＧＧＳＮはこれらの情報を保存し、新規のＳＧＳＮにＰＤＰ更新応答を返信する（ステップ２０６〜２０７）。
【００２０】
新規のＳＧＳＮとＨＳＳは、位置更新要請を送信し（ステップ２０８）、該要請は新規のＳＧＳＮの識別子を運び、ＨＳＳは、該識別子を保存する。
【００２１】
ＨＳＳは、元のＳＧＳＮに位置取消要請を送信し、元のＳＧＳＮがＨＳＳに応答を返信した後、ＨＳＳは、元のＳＧＳＮ識別子を保存しない（ステップ２０９〜２１０）。
【００２２】
ＨＳＳは、新規のＳＧＳＮにユーザデータを挿入する（ステップ２１１〜２１２）。
【００２３】
ＨＳＳは、新規のＳＧＳＮに位置更新応答を返信する（ステップ２１３）。
【００２４】
新規のＳＧＳＮは、ＵＥが現在のルーティング領域において有効であることを確認し、ＵＥにルーティング領域更新受付メッセージを送信し（ステップ２１４）、該要請はＵＥに新たに配置したＰ−ＴＭＳＩを含む。
【００２５】
ＵＥは、ＳＧＳＮにルーティング領域更新完了メッセージを返信し、Ｐ−ＴＭＳＩの有効を確認する（ステップ２１５）。
【００２６】
ブロック図Ａにおけるステップ２０６とステップ２０７において、新規のＳＧＳＮがＧｎ/Ｇｐインターフェースを用いてＧＧＳＮに接続されたと想定した。図３は、関連技術に係るＳＧＳＮがＳ４インターフェースを選択するフローチャートである。ＧＧＳＮをＰＧＷのエンべデッド機能ブロックとすると、ＳＧＳＮとＰＧＷとの間のベアラ更新プロセスは図３に示すように、次のようなステップを含む。
【００２７】
ＳＧＳＮは、ＳＧＷにセッション確立要請を送信し（ステップ３０１）、該要請はＰＧＷのＴＥＩＤとＩＰアドレス及びＳＧＳＮのＴＥＩＤとＩＰアドレスを運び、コンテキストとユーザ識別子情報を含んでいる。
【００２８】
ＳＧＷは、ＳＧＳＮが提供した情報に基づいて、ＰＧＷを探し出してベアラ補正要請を送信し（ステップ３０２）、該要請にＳＧＷのＴＥＩＤとアドレス及びユーザ識別子情報が含まれる。
【００２９】
ＰＧＷは、ベアラ補正要請を返信し（ステップ３０３）、該要請にＰＧＷのＴＥＩＤとアドレスが含まれる。
【００３０】
ＳＧＷは、セッション確立要請を返信し（ステップ３０４）、該要請はＳ−ＧＷのＴＥＩＤとアドレスを含む。
【００３１】
上述したように、既存のＧＧＳＮがＰＧＷのエンべデッド機能ユニットであるので、新規のＳＧＳＮは、Ｇｎ/Ｇｐインターフェースを介してＧＧＳＮに接続されることができる一方、ＰＧＷにエンべデッドされたＧＧＳＮにＳＧＷを介して接続されることもできる。しかし、ＥＰＣが新規のネットワークの特性を提供しているので、Ｇｎ/Ｇｐインターフェースを支援すると共に、Ｓ４インターフェースを支援するＳＧＳＮの場合、ＳＧＳＮが異なる状況において異なるネットワーク要素を選択できるように、効果的な選択メカニズムが必要となっている。
【発明の概要】
【発明が解決しようとする課題】
【００３２】
本発明は、関連技術において、ＳＧＳＮがＧｎ/Ｇｐ又はＳ４インターフェースを選択するメカニズムが欠如する問題に鑑み、上記問題における少なくともひとつを解決できるＳＧＳＮに基づくメッセージ送信方法を提供することを目的とする。
【課題を解決するための手段】
【００３３】
上記目的を実現するため、本発明の一方面によると、メッセージ送信方法を提供する。
【００３４】
本発明に係るメッセージ送信方法は、ユーザ機器が接続されている汎用無線パケットサービス支援ノードＳＧＳＮが第１ＳＧＳＮから第２ＳＧＳＮにハンドオーバーする場合、第１ＳＧＳＮが第２ＳＧＳＮに、ユーザ機器が接続されているパケットデータネットワークのゲートウェイの形態を含むユーザ機器のコンテキスト情報を含んだメッセージを送信するステップを含む。
【００３５】
第１ＳＧＳＮが第２ＳＧＳＮにメッセージを送信した後、第２ＳＧＳＮがメッセージを受信してメッセージからユーザ機器が接続されているパケットデータネットワークのゲートウェイの形態を取得し、ゲートウェイの形態に基づいて、第２ＳＧＳＮがパケットデータネットワークのゲートウェイに接続する際に用いるインターフェースの形態を確定するステップを更に含むことが好ましい。
【００３６】
第２ＳＧＳＮがメッセージからユーザ機器が接続されているパケットデータネットワークのゲートウェイの形態を確定するステップが、第２ＳＧＳＮがメッセージに含まれたゲートウェイのフリー・クオリファイド・ドメイン・ネームからゲートウェイの形態を取得するステップを含み、その中、メッセージに組合せゲートウェイのフリー・クオリファイド・ドメイン・ネームが含まれていると、ゲートウェイの形態がパケットデータネットワークのゲートウェイＰＧＷであることを取得し、メッセージに組合せゲートウェイのフリー・クオリファイド・ドメイン・ネームが含まれていないと、ゲートウェイの形態が汎用無線パケットサービスゲートウェイ支援ノードＧＧＳＮであることを取得することが好ましい。
【００３７】
第２ＳＧＳＮがゲートウェイの形態に基づいて、第２ＳＧＳＮが選択したインターフェースの形態を確定するステップが、ゲートウェイの形態がパケットデータネットワークのゲートウェイＰＧＷである場合、Ｓ４形態のインターフェースを介してパケットデータネットワークのゲートウェイに接続されると確定し、ゲートウェイの形態が汎用無線パケットサービスゲートウェイ支援ノードＧＧＳＮである場合、Ｇｎ/Ｇｐ形態のインターフェースを介してパケットデータネットワークのゲートウェイに接続されると確定するステップを含むことが好ましい。
【００３８】
第１ＳＧＳＮが第２ＳＧＳＮにメッセージを送信する前、第１ＳＧＳＮがゲートウェイの形態を確定し、ゲートウェイの形態をユーザ機器のコンテキスト情報に保存するステップを更に含むことが好ましい。
【００３９】
第１ＳＧＳＮがゲートウェイの形態を確定するステップが、第１ＳＧＳＮがローカルに予め配置された情報に基づいて、ゲートウェイの形態を確定し、第１ＳＧＳＮがユーザ機器により提供された情報及び/又は契約情報に基づいて、ゲートウェイの形態を確定するステップを含むことが好ましい。
【００４０】
上記の目的を実現するため、本発明に係る他の一方面によると、ＳＧＳＮを提供する。
【００４１】
本発明に係るＳＧＳＮは、ユーザ機器が汎用無線パケットサービス支援ノードＳＧＳＮのハンドオーバーを開始する場合、ターゲットＳＧＳＮにユーザ機器のコンテキスト情報を含んだメッセージを送信する送信ブロックを含み、その中、コンテキスト情報は、ユーザ機器が接続されているパケットデータネットワークのゲートウェイの形態を含む。
【００４２】
上記ＳＧＳＮが、ゲートウェイの形態を確定する第１確定ブロックと、ゲートウェイの形態をユーザ機器のコンテキスト情報に保存する保存ブロックと、を更に含むことが好ましい。
【００４３】
第１確定ブロックが、ローカルに予め配置された情報に基づいて、ゲートウェイの形態を確定する第１確定サブブロックと、ユーザ機器により提供された情報及び/又は契約情報に基づいて、ゲートウェイの形態を確定する第２確定サブブロックと、を含むことが好ましい。
【００４４】
上記ＳＧＳＮが、ユーザ機器がＳＧＳＮハンドオーバーを開始する場合、ソースＳＧＳＮから送信され、ユーザ機器が接続されているパケットデータネットワークのゲートウェイの形態を含んだメッセージを受信する受信ブロックと、メッセージからゲートウェイの形態を取得する取得ブロックと、ゲートウェイの形態に基づいて、ＳＧＳＮがパケットデータネットワークのゲートウェイに接続される際に用いるインターフェースの形態を確定する第２確定ブロックと、を更に含むことが好ましい。
【００４５】
上記取得ブロックが、メッセージに組合せゲートウェイのフリー・クオリファイド・ドメイン・ネームが含まれていると、ゲートウェイの形態がＰＧＷであることを取得する第１取得サブブロックと、メッセージに組合せゲートウェイのフリー・クオリファイド・ドメイン・ネームが含まれていないと、ゲートウェイの形態がＧＧＳＮであることを取得する第２取得サブブロックと、を含むことが好ましい。
【００４６】
第２確定ブロックが、ゲートウェイの形態がＰＧＷである場合、Ｓ４形態のインターフェースを介してパケットデータネットワークのゲートウェイに接続する第１接続サブブロックと、ゲートウェイの形態がＧＧＳＮである場合、Ｇｎ/Ｇｐ形態のインターフェースを介してパケットデータネットワークのゲートウェイに接続する第２接続サブブロックと、を含むことが好ましい。
【発明の効果】
【００４７】
本発明によると、元のＳＧＳＮが新規のＳＧＳＮにユーザ機器が接続されているパケットデータネットワークＰＤＮのゲートウェイの形態を含んだメッセージを送信することによって、関連技術における新規のＳＧＳＮがＧｎ/Ｇｐ又はＳ４インターフェースを選択するメカニズムが欠如する問題を解決し、新規のＳＧＳＮがパケットデータネットワークＰＤＮのゲートウェイの形態を取得でき、ゲートウェイの形態に応じ、インターフェースの形態を正確に選択できる技術的効果を実現することができる。
【００４８】
ここで説明する図面は本発明を理解するためのものであり、本発明の一部を構成し、本発明における実施例と共に本発明を解釈し、本発明を不当に限定するものではない。
【図面の簡単な説明】
【００４９】
【図１】関連技術に係るネットワークの構造を示す図である。
【図２】関連技術に係るＵＥがルーティング更新を行うフローチャートである。
【図３】関連技術に係るＳＧＳＮがＳ４インターフェースを選択する際のフローチャートである。
【図４】本発明の実施例に係るメッセージ送信方法を示すフローチャートである。
【図５】本発明の実施例に係るＵＥのルーティング領域更新におけるＳＧＳＮのネットワーク要素の選択を示すフローチャートである。
【図６】本発明の実施例に係るＵＥの接続状態でのハンドオーバーにおけるＳＧＳＮを示すフローチャートである。
【図７】本発明の実施例に係るＳＧＳＮがＳ４インターフェースを用いると判断した後の流れを示すフローチャートである。
【図８】本発明の実施例に係るＳＧＳＮの構造を示すブロック図である。
【発明を実施するための形態】
【００５０】
ここで、互いに矛盾しない限り、本発明における実施例及び実施例に記載の特徴を互いに組み合わせることができる。以下、図面を参照しつつ実施例に合わせ、本発明を詳しく説明する。以下の実施例において、図面に示すフローチャートでは、本発明における順とは異なる順で図に示すステップ又は説明するステップが行われてもよい。
［方法実施例］
本発明に係る実施例によると、メッセージ送信方法が提供され、該方法は、ＳＧＳＮが変更された場合に適用されるものであり、即ち、該方法はＳＧＳＮが変更された場合に、ルーティング選択を行う技術方法である。図４は、本発明の実施例に係るメッセージ送信方法を示すフローチャートである。図４に示すように、以下のステップＳ４０２〜ステップＳ４０４を含む。
【００５１】
ユーザ機器が接続されているＳＧＳＮが第１ＳＧＳＮ（元のＳＧＳＮ）から第２ＳＧＳＮ（新規のＳＧＳＮ）にハンドオーバーする（ステップＳ４０２）。
【００５２】
第１ＳＧＳＮは、第２ＳＧＳＮにユーザ機器のコンテキスト情報を含んだメッセージを送信し（ステップＳ４０４）、その中、コンテキスト情報にはユーザ機器が接続されているパケットデータネットワークＰＤＮのゲートウェイの形態が含まれる。即ち、ＵＥの接続がコンテキストにおいて伝送される過程において、ＵＥのＰＤＮへの接続のためＳＧＳＮが選択したゲートウェイの形態を新規のＳＧＳＮに通知し、該ゲートウェイの形態は、拡張パラメータによって実現され、例えば、選択されたゲートウェイのフリー・クオリファイド・ドメイン・ネーム（Fully Qualified Domain Name、以下、ＦＱＤＮと略称）に基づいて、該ゲートウェイの形態を判断することができ、コンテキスト情報に組合せゲートウェイ（ＰＧＷエンベデッドＧＧＳＮ）のＦＱＤＮが含まれると、該ゲートウェイがＰＧＷにエンべデッドされたＧＧＳＮであると認め、該コンテキスト情報に組合せゲートウェイ（ＰＧＷにエンべデッドされたＧＧＳＮ）のＦＱＤＮが含まれていないと、該ゲートウェイが単独のＧＧＳＮであると認める。
【００５３】
ステップＳ４０４の後、第２ＳＧＳＮは、メッセージを受信しメッセージからゲートウェイの形態を取得し、ゲートウェイの形態に基づいて、第２ＳＧＳＮがＰＤＮゲートウェイに接続される際に用いられたインターフェースの形態を確定し、該インターフェースの形態は、Ｓ４、Ｇｎ/Ｇｐを含む。即ち、新規のＳＧＳＮはこれらの情報に基づいて、Ｓ４インターフェースを用いてＳＧＷを介してＰＧＷに接続されるかそれともＧｎ/Ｇｐインターフェースを介してＧＧＳＮに接続されるかを判断する。
【００５４】
ステップＳ４０２を行う前、第１ＳＧＳＮは、ゲートウェイの形態を確定し、ゲートウェイの形態をユーザ機器のコンテキスト情報に保存する。即ち、元のＳＧＳＮは、ＵＥのためにＡＰＮ接続を構築する際、該ＳＧＳＮが選択したパケットデータネットワークのゲートウェイの形態、即ち、該ＧＧＳＮが独立したノードであるかそれともＰＧＷのエンベデッド機能実体であるかを記録し、該ゲートウェイの形態は、拡張パラメータを介して実現でき、例えば、選択したゲートウェイのＦＱＤＮに基づいて該ゲートウェイの形態を判断でき、コンテキスト情報に組合せゲートウェイ（ＰＧＷエンべデッドＧＧＳＮ）のＦＱＤＮが含まれる場合、該ゲートウェイがＰＧＷエンべデッドＧＧＳＮであると認め、コンテキスト情報に組合せゲートウェイ（ＰＧＷエンべデッドＧＧＳＮ）のＦＱＤＮが含まれていないと、該ゲートウェイが独立したＧＧＳＮであると認める。インターフェースの形態を確定する際、動的方式と静的方式との二つの方式を採用することができる。静的方式は、第１ＳＧＳＮがローカルに予め配置された情報に基づいて、ゲートウェイの形態を確定する方式であって、動的方式は、第１ＳＧＳＮがユーザ機器により提供された情報及び/又はユーザの契約情報に基づいて、ゲートウェイの形態を確定する方式である。次、該二つの方式を詳しく説明する。
【００５５】
静的配置方式を用いると、ＵＥがＰＤＮ接続を構築する場合に選択可能であるゲートウェイの形態をＳＧＳＮが静的に配置し、それと同時に、ＳＧＳＮは、選択したゲートウェイの形態をＵＥのコンテキスト情報に記録しなければならない。
【００５６】
動的選択方式を用いると、即ち、ＳＧＳＮがＵＥにより提供された情報及び/又は契約情報に基づいて、ＤＮＳを介して検索して一つのＧＧＳＮを選択し、ＳＧＳＮが、選択したゲートウェイの形態をＵＥのコンテキスト情報に保存する。
【００５７】
以下、実施例に合わせ本発明の実施例の具現化過程を詳しく説明する。
【００５８】
図５は、本発明の実施例に係るＵＥのルーティング領域更新中において、ＳＧＳＮがネットワーク要素を選択するフローチャートである。図５に示すように、以下のステップを含む。
【００５９】
ＵＥがルーティング領域更新要請を提示し、該要請をＢＳＣ/ＳＲＮＳを介して新規のＳＧＳＮに送信し（ステップ５０１）、該要請は有効のＰ−ＴＭＳＩ及びルーティング領域更新の形態を含む。
【００６０】
新規のＳＧＳＮは、Ｐ−ＴＭＳＩに基づいて、元のＳＧＳＮからＵＥのコンテキスト情報を取得する（ステップ５０２）。
【００６１】
元のＳＧＳＮは、新規のＳＧＳＮに、ＵＥのＰＤＮ接続に選択されたゲートウェイの形態が含まれたＵＥのコンテキスト情報を返信する（ステップ５０３）。
【００６２】
安全性を保証するため、検証及び暗号化を行う（ステップ５０４）。該ステップは、選択的に行うことができる。ネットワークにＵＥのコンテキスト情報が存在しないと、該ステップを行わなければならない。
【００６３】
新規のＳＧＳＮは、ＵＥのコンテキストを受信した後、元のＳＧＳＮにコンテキスト要請応答メッセージを返信する（ステップ５０５）。
【００６４】
新規のＳＧＳＮは、元のＳＧＳＮより返信されたＵＥコンテキスト情報に基づいて、適切なネットワーク要素を選択する（ステップ５０６）。
【００６５】
ＧＧＳＮが独立して配置されたネットワーク要素であると、新規のＳＧＳＮは、Ｇｎ/Ｇｐインターフェースを用いてＧＧＳＮに直接接続される。具体的なプロセスは、ブロック図Ａ部分に示すとおりである。
【００６６】
ＧＧＳＮがＰＧＷにエンべデッドされた機能実体であると、新規のＳＧＳＮは、Ｓ４インターフェースを用いてＳＧＷを介してＰＧＷに接続される。具体的なプロセスは、図３に示す既存技術と同じであるので、詳しい説明を省略する。
【００６７】
また、ＳＧＳＮがＳ４インターフェースを用いると、ＳＧＳＮは、ＰＤＰコンテキストからＥＰＳベアラへのマッピングプロセスを行わなければならないが、詳しい説明は省略する。
【００６８】
新規のＳＧＳＮは、ＧＧＳＮにＰＤＰ更新要請を送信し、該要請は新規のＳＧＳＮのＴＥＩＤとＩＰアドレスを運び、ＧＧＳＮはこれらの情報を保存し、新規のＳＧＳＮにＰＤＰ更新応答を返信する（ステップ５０７〜５０８）。
【００６９】
新規のＳＧＳＮとＨＳＳは、新規のＳＧＳＮの識別子を含んだ位置更新要請を送信し、ＨＳＳは、該識別子を保存する（ステップ５０９）。
【００７０】
ＨＳＳは、元のＳＧＳＮに位置取消要請を送信し、元のＳＧＳＮは、ＨＳＳに応答を返信した後、ＨＳＳは元のＳＧＳＮの識別子を保存しない（ステップ５１０〜５１１）。
【００７１】
ＨＳＳは、新規のＳＧＳＮにユーザデータを挿入する（ステップ５１２〜５１３）。
【００７２】
ＨＳＳは、新規のＳＧＳＮに位置更新応答を返信する（ステップ５１４）。
【００７３】
新規のＳＧＳＮがＵＥの現在ルーティング領域において有効であることを確認し、ＵＥに、ＵＥに再配置されたＰ−ＴＭＳＩを含んだルーティング領域更新受付メッセージを送信する（ステップ５１５）。
【００７４】
ＵＥは、ＳＧＳＮにルーティング領域更新完了メッセージを送信し、Ｐ−ＴＭＳＩの有効であることを確認する（ステップ５１６）。
【００７５】
図６は、本発明の実施例に係るＵＥが接続状態においてハンドオーバーを行う場合のＳＧＳＮのフローチャートである。図６に示すように、以下のステップを含む。
【００７６】
元のＲＮＣは、ＵＥが報告した情報に基づいて、ハンドオーバープロセスを行う必要があると判断する（ステップ６０１）。
【００７７】
元のＲＮＣは、元のＳＧＳＮに、再配置された形態と、ソース端とターゲット端の識別子及び元のＲＮＣがコアネットワークを介して新規のＲＮＣに透明伝送（transparent transmission）したコンテナを含んだＳＲＮＳ再配置要請を送信する（ステップ６０２）。
【００７８】
元のＳＧＳＮは、新規のＳＧＳＮに、ＵＥのＰＤＮ接続のため選択されたゲートウェイの形態を含むＵＥのコンテキスト情報を含んだ再配置フォワーディング要請を送信する（ステップ６０３）。
【００７９】
新規のＳＧＳＮは、元のＳＧＳＮが返信したＵＥコンテキスト情報に基づいて、適切なネットワーク要素を選択する（ステップ６０４）。
【００８０】
ＧＧＳＮが独立して配置されたネットワーク要素であると、新規のＳＧＳＮは、Ｇｎ/Ｇｐインターフェースを用いてＧＧＳＮに直接接続される。この場合、ブロック図Ｂ部分を行う必要がない。
【００８１】
ＧＧＳＮがＰＧＷにエンべデッドされた機能実体であると、新規のＳＧＳＮは、Ｓ４インターフェースを用いてＳＧＷを介してＰＧＷに接続される。この場合、ステップ６０５〜６０６を行わなければならない。
【００８２】
また、ＳＧＳＮがＳ４インターフェースを用いる場合、ＳＧＳＮは、ＰＤＰコンテキストからＥＰＳベアラへのマッピングを完成しなければならず、詳しい説明は省略する。
【００８３】
ＳＧＳＮは、ＳＧＷに、ＰＧＷのＴＥＩＤとＩＰアドレス及びＳＧＳＮのＴＥＩＤとＩＰアドレスを含み、コンテキストとユーザ識別子情報を含んだセッション確立要請を送信する（ステップ６０５）。
【００８４】
ＳＧＷは、Ｓ−ＧＷのＴＥＩＤとアドレスを含んだセッション確立要請を返信する（ステップ６０６）。
【００８５】
新規のＳＧＳＮは、新規のＲＮＣに、ＵＥの識別子と確立しようとするベアラ及び元のＲＮＣがコアネットワークを介して新規のＲＮＣに透明伝送したコンテナを含んだ再配置要請を送信する（ステップ６０７）。
【００８６】
新規のＳＧＳＮと新規のＲＮＣとの間においてＵＥのために無線ベアラを構築する（ステップ６０８）。
【００８７】
新規のＲＮＣは、新規のＳＧＳＮに再配置要請応答を返信する（ステップ６０９）。
【００８８】
新規のＳＧＳＮは、元のＳＧＳＮに再配置フォワーディング要請を送信する（ステップ６１０）。
【００８９】
元のＳＧＳＮは、元のＲＮＣに再配置命令を送信し、ハンドオーバーの開始を通知する（ステップ６１１）。
【００９０】
元のＲＮＣは、新規のＲＮＣにＵＥのＳＲＮＳコンテキストを含んだＳＲＮＳ再配置提出を送信する（ステップ６１２）。
【００９１】
新規のＲＮＣとＵＥとの間において、無線アクセスネットワークの移動管理情報をインタラクションする（ステップ６１３〜６１４）。
【００９２】
新規のＲＮＣは、新規のＳＧＳＮにＳＲＮＳ再配置の完了の旨送信し、無線ハンドオーバーを完了したことを通知する（ステップ６１５）。
【００９３】
新規のＳＧＳＮは、元のＳＧＳＮに、再配置完成フォワーディング要請を送信し、ＵＥが新規のネットワークにハンドオーバーしたことを通知する。元のＳＧＳＮは、応答メッセージを返信する（ステップ６１６〜６１７）。
【００９４】
元のＳＧＳＮは、元のＲＮＣとの間のＩｕインターフェースをリリースする（ステップ６１８）。
【００９５】
ステップ６０４において、ＳＧＳＮがＳ４インターフェースを用いると判断していると、ここで、ステップ６１９〜６２２を行わなければならず、そうでない場合は、図７におけるＢ１〜Ｂ２ステップを行わなければならない。後述においてステップＢ１〜Ｂ２を詳しく説明する。
【００９６】
ＳＧＳＮは、ＳＧＷに、ＰＧＷのＴＥＩＤとＩＰアドレス及びＳＧＳＮのＴＥＩＤとＩＰアドレスを含みコンテキストとユーザ識別子情報を含んだ積載補正要請を送信する（ステップ６１９）。ダイレクトトンネル（Ｄｉｒｅｃｔ  Ｔｕｎｎｅｌ）を支援すると、新規のＲＮＣのＴＥＩＤとＩＰアドレスを含む。
【００９７】
ＳＧＷは、ＳＧＳＮにより提供された情報に基づいて、ＰＧＷを探し出し、ＳＧＷのＴＥＩＤとアドレス及びユーザ識別子情報が含まれた積載補正要請を送信する（ステップ６２０）。
【００９８】
ＰＧＷは、ＰＧＷのＴＥＩＤとアドレスを含むベアラ補正要請を返信する（ステップ６２１）。
【００９９】
ＳＧＷは、Ｓ−ＧＷのＴＥＩＤとアドレスを含んだベアラ補正要請を返信する（ステップ６２２）。
【０１００】
図７は、本発明の実施例に係るＳＧＳＮがＳ４インターフェースを用いると判断した場合の流れを示すフローチャートである。図７に示すように、ステップＢ１〜Ｂ２を含み、新規のＳＧＳＮは、ＧＧＳＮにＰＤＰ更新要請を送信し、その中には新規のＳＧＳＮのＴＥＩＤとＩＰアドレスを含み、ＧＧＳＮはこれらの情報を保存し、新規のＳＧＳＮにＰＤＰ更新応答を返信する。ダイレクトトンネルを支援すると、新規のＲＮＣのＴＥＩＤとＩＰアドレスを含む。
【０１０１】
ＲＡＵのプロセスを行うが、当業者であれば周知の技術であるので、詳しい説明を省略する（ステップ６２３）。
【０１０２】
以下のような二つの形態によって上記パケットデータネットワークのゲートウェイの形態を確定することが好ましい。しかし、このような二つの形態に限定されることはない。
【０１０３】
［方式１］
静的配置方式を用い、即ち、ＳＧＳＮがＰＤＮが選択可能であるゲートウェイの形態を静的に配置し、それと同時に、ＳＧＳＮは、選択したゲートウェイの形態をＵＥのコンテキストに記録しなければならない。
【０１０４】
［方式２］
動的に選択する方式を用い、即ち、ＳＧＳＮがＵＥにより提供された情報及び/又はユーザの契約情報に基づいて、ＤＮＳを介して一つのＧＧＳＮを選択し、ＳＧＳＮが、選択したゲートウェイの形態をＵＥのコンテキストに保存する。
【０１０５】
上記パケットデータネットワークのゲートウェイの形態が以下の形態を用いることができるが、これらにより限定されることはない。
【０１０６】
方式１、ＧＧＳＮ又はＰＧＷ。
【０１０７】
方式２、独立して配置されたＧＧＳＮ、又はＰＧＷエンべデッド機能ブロックとしてのＧＧＳＮ。
【０１０８】
［装置実施例］
本発明の実施例によると、ＳＧＳＮを提供する。図８は、本発明の実施例に係るＳＧＳＮの構造を示すブロック図である。図８に示すように、ＳＧＳＮは、ユーザ機器が汎用無線パケットサービス支援ノードＳＧＳＮのハンドオーバーを開始した場合、ターゲットＳＧＳＮにユーザ機器のコンテキスト情報を含んだメッセージを送信する送信ブロック８２を含み、その中、コンテキスト情報は、ユーザ機器が接続されているＰＤＮのゲートウェイの形態を含み、該ゲートウェイの形態は拡張されたパラメータによって実現でき、例えば、選択したゲートウェイのＦＱＤＮを介して該ゲートウェイの形態を判断することができる。コンテキスト情報に組合せゲートウェイ（ＰＧＷエンべデッドＧＧＳＮ）のＦＱＤＮが含まれていると該ゲートウェイがＰＧＷエンべデッドＧＧＳＮであると認め、コンテキスト情報に組合せゲートウェイ（ＰＧＷエンべデッドＧＧＳＮ）のＦＱＤＮが含まれていないと、ゲートウェイが単独のＧＧＳＮであると認める。
【０１０９】
図８に示すように、上記ＳＧＳＮは、さらに、第１確定ブロック８４と、保存ブロック８６と、を含む。第１確定ブロック８４は、ゲートウェイの形態を確定する。保存ブロック８６は、第１確定ブロック８４と送信ブロック８２に接続され、ゲートウェイの形態をユーザ機器のコンテキスト情報に保存する。
【０１１０】
その中、第１確定ブロック８４は、ローカルに予め配置された情報に基づいて、ゲートウェイの形態を確定する第１確定サブブロック８４２と、ユーザ機器により提供された情報及び/又は契約情報に基づいて、ゲートウェイの形態を確定する第２確定サブブロック８４４と、を含む。
【０１１１】
また、上記保存ブロック８６と、第１確定ブロック８４と、送信ブロック８２は、方法実施例における第１ＳＧＳＮ（即ち、元のＳＧＳＮ）に対応する。後述の受信ブロック４２と、取得ブロック４４と、第２確定ブロック４６は方法実施例における第２ＳＧＳＮ（即ち、新規のＳＧＳＮ）に対応する。
【０１１２】
図８に示すように、上記ＳＧＳＮは、更に、受信ブロック４２と、取得ブロック４４と、第２確定ブロック４６と、を含む。以下詳しく説明する。
【０１１３】
受信ブロック４２は、ユーザ機器がＳＧＳＮハンドオーバーを開始した場合、ソースＳＧＳＮから送信されるメッセージを受信し、その中、メッセージは、ユーザ機器が接続されているＰＤＮのゲートウェイの形態を含む。取得ブロック４４は、受信ブロック４２に接続され、メッセージからゲートウェイの形態を取得する。第２確定ブロック４６は、取得ブロック４４に接続され、ゲートウェイの形態に基づいて、ＳＧＳＮがパケットデータネットワークのゲートウェイに接続される際に用いるインターフェースの形態を確定する。
【０１１４】
その中、取得ブロック４４は、メッセージに組合せゲートウェイのフリー・クオリファイド・ドメイン・ネームが含まれるいると、ゲートウェイの形態がＰＧＷであることを取得する第１取得サブブロック４４２と、メッセージに組合せゲートウェイのフリー・クオリファイド・ドメイン・ネームが含まれていないと、ゲートウェイの形態がＧＧＳＮであることを取得する第２取得サブブロック４４４と、を含む。
【０１１５】
その中、第２確定ブロック４６は、上記ゲートウェイの形態がＰＧＷである場合、Ｓ４形態のインターフェースを介してパケットデータネットワークのゲートウェイに接続される第１接続サブブロック４６２と、上記ゲートウェイの形態がＧＧＳＮである場合、Ｇｎ/Ｇｐ形態のインターフェースを介してパケットデータネットワークのゲートウェイに接続される第２接続サブブロック４６４と、を含む。
【０１１６】
上述のように、本発明の実施例によると、関連技術におけるＳＧＳＮがＧｎ/Ｇｐ又はＳ４インターフェースを選択するメカニズムが欠如する問題を解決し、新規のＳＧＳＮがＰＤＮ接続のインターフェースの形態を取得し、インターフェースの形態に基づいて、接続されるネットワーク要素を正確に選択する技術効果を実現することができる。
【０１１７】
当業者にとって、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかである。このように、本発明は如何なる特定のハードウェアとソフトウェアの組み合わせにも限定されない。
【０１１８】
以上は、本発明の好適な実施例に過ぎず、本発明を限定するものではない。当業者であれば本発明に様々な修正や変形が可能である。本発明の精神や原理内での如何なる修正、置換、改良などは本発明の保護範囲内に含まれる。
【図１】
2013500642.tif 000003
【図２】
2013500642.tif 000004
【図３】
2013500642.tif 000005
【図４】
2013500642.tif 000006
【図５】
2013500642.tif 000007
【図６】
2013500642.tif 000008
【図７】
2013500642.tif 000009
【図８】
2013500642.tif 000010
【国際調査報告】
2013500642.tif 000011
2013500642.tif 000012
2013500642.tif 000013
2013500642.tif 000014